(57)【特許請求の範囲】
【請求項１】
注射針を備えるシリンジと、このシリンジの内側で薬液の充填空間を形成しその摺動にて薬液を注射針の先端から排出するプランジャーを備えた注射器であって、
注射針を保持しその表面にねじ部を有するロック用チップと、薬液の充填空間を隔てる天面壁と同心二重配置になる内筒および外筒にて形成される区画凹所を有するシリンジと、
注射針を通す貫通孔を有し外筒の周りで回転可能に保持され該区画凹所と協働してロック用チップを含めた注射針の収納空間を形成するキャップとを備え、
前記キャップに、ロック用チップのねじ部に係合し該キャップの回転にて該ロック用チップをスライドさせて注射針を収納空間に後退させるねじ部を設け、
前記ロック用チップに、内筒または外筒に係合して該ロック用チップの収納姿勢を保持する係合部分を設けたことを特徴とする注射器。
【請求項２】
内筒及び外筒の少なくとも一方に、ロック用チップを直線的に誘導するガイドを設ける請求項１記載の注射器。
【請求項３】
内筒とロック用チップとの相互間にシール部材を備える請求項１または２記載の注射器。
【発明の詳細な説明】
【０００１】
【発明の属する技術分野】
本発明は、注射器に関するものであり、該注射器をより一層安全に取り扱おうとするものである。
【０００２】
【従来の技術】
医療分野で使用される注射器は、その取り扱いに際して安全性を確保する観点から、使用前、使用後（廃棄時）の注射器には注射針を覆い隠す保護カバーが取り付けられる。
【０００３】
ところで、従来の保護カバーは、注射器からの着脱が可能なキャップ形式であることから、その装着に際して誤って針先で手や指に傷をつけてしまうおそれがあること（とくに使用済みの注射器に保護カバーをして廃棄する時）、また、保護カバーを装着する作業自体煩わしいものとなっており作業者の負担（とくに精神的な負担）が大きくその改善が求められている。
【０００４】
【発明が解決しようとする課題】
本発明の課題は、注射器の使用前はもとより使用後の注射器に対して安全かつ確実に針を覆い隠すことができる新規な注射器を提案するところにある。
【０００５】
【課題を解決するための手段】
本発明は、注射針を備えるシリンジと、このシリンジの内側で薬液の充填空間を形成しその摺動にて薬液を注射針の先端から排出するプランジャーを備えた注射器であって、
注射針を保持しその表面にねじ部を有するロック用チップと、薬液の充填空間を隔てる天面壁と同心二重配置になる内筒および外筒にて形成される区画凹所を有するシリンジと、
注射針を通す貫通孔を有し外筒の周りで回転可能に保持され該区画凹所と協働してロック用チップを含めた注射針の収納空間を形成するキャップとを備え、
前記キャップに、ロック用チップのねじ部に係合し該キャップの回転にて該ロック用チップをスライドさせて注射針を収納空間に後退させるねじ部を設け、
前記ロック用チップに、内筒または外筒に係合して該ロック用チップの収納姿勢を保持する係合部分を設けたことを特徴とする注射器である。
【０００６】
上記の構成になる注射器において内筒及び外筒の少なくとも一方には、ロック用チップを直線的に誘導するガイドを設けることができ、内筒とロック用チップとの相互間にはシール部材を配置するのが好ましい。
【０００７】
【発明の実施の形態】
以下、図面を用いて本発明をより具体的に説明する。
【０００８】
図１は本発明に従う注射器の外観斜視図であり、図２はその要部の断面を示したものである。
【０００９】
図における番号１は注射針、２はシリンジである。シリンジ２はその先端に天面壁２ａと同心二重配置になり該天面壁２ａと一体になる内筒２ｂおよび外筒２ｃを有しており、天面壁２ａ、内筒２ｂおよび外筒２ｃによって区画凹所Ｓが形成されている。
【００１０】
また、３はシリンジ２の内側で薬液の充填空間Ｍを形成しその摺動にて薬液を注射針１の先端から排出するプランジャー、４は注射針１を保持するロック用チップであり、ロック用チップ４の外表面にはねじ部４ａが形成されていて、その内側には内筒２ｂの凸部ｔに係合して収納姿勢を保持する凹部４ｂを例として示した係合部分が設けられている。
【００１１】
５はキャップである。このキャップ５は注射針１を通す貫通孔５ａを有し、外筒２ｃの周りで回転可能に保持され区画凹所Ｓと協働してロック用チップ４を含めた注射針１の収納空間を形成するようになっており、その内側にはロック用チップ４のねじ部４ａに係合するねじ部５ｂが設けられている。
【００１２】
また、６は外筒２ｃの内側に間隔をおいて配置した例で示したガイドである。このガイド６は図３に示すようにロック用チップ４に設けた凹部に適合していて、ロック用チップ４の回転を防止し直線的に誘導できるようになっている。７は内筒２ｂとロック用チップ４との相互間に配置したシール部材、そして８はロック用チップ４とキャップ５の相互間に配置されたパッキンである。
【００１３】
注射器の使用に際しては、シール部材７、パッキン８によって確実にシールされているため、上掲図１に示す状態のままで使用することにより薬液は注射針１から確実に排出される。
【００１４】
注射器の使用後（廃棄時）においてキャップ５を外筒２ｃの周りで回転させると、キャップ５のねじ部５ｂに係合するロック用チップ４は天面壁２ａに向かってスライドしていき、これとともに注射針１は収納空間内へ後退することとなる。
【００１５】
注射針１はロック用チップ４の凹部４ｂが内筒２ａの凸部ｔに係合した段階で図４に示すごとく収納空間に完全に入りこんでいるため、キャップ５を回転させない限り注射針１がキャップ５から露出することはなく、安全が確保される。
【００１６】
図５（ａ）（ｂ）は、本発明に従う注射器の他の実施の形態につき、その使用前及び使用後（廃棄時）の状態をそれぞれ示したものである。
【００１７】
かかる構造の注射器は、キャップ５を外環５ｃと内環５ｄからなる二重壁としてその相互間にシリンジ２の外筒２ｃを入れ込むようにした構造のものであり、これによれば、キャップ５の下端がシリンジ２の２箇所において接触することになるためキャップ５がシリンジ２に対して安定化する。
【００１８】
【発明の効果】
本発明によれば、キャップを回転させるだけで注射針を区画凹所とキャップによって形成される収納空間内に後退させることができるので、注射器の使用後（廃棄時）に針先が手や指に触れて傷をつけてしまうおそれはない。
【００１９】
また、本発明によれば、注射器の使用後にすぐさまキャップを回転させて注射針を収納空間に後退させることが可能であり収納作業の煩わしさを軽減できる。
【図面の簡単な説明】
【図１】  本発明に従う注射器の構成を示した図である。
【図２】  図１に示した注射器の要部断面図である。
【図３】  図１に示した注射器の要部の外観斜視図である。
【図４】  図１に示した注射器の使用後（廃棄時）の状態を示した断面図である。
【図５】  （ａ）（ｂ）は本発明に従う注射器の他の実施の形態を示した図である。
【符号の説明】
１  注射針
２  シリンジ
２ａ  天面壁
２ｂ  内筒
２ｃ  外筒
３  プランジャー
４  ロック用チップ
４ａ  ねじ部
４ｂ  凹部
５  キャップ
５ａ  貫通孔
５ｂ  ねじ部
５ｃ  外環
５ｄ  内環
６  ガイド
７  シール部材
８  パッキン
Ｍ  充填空間
Ｓ  区画凹所
ｔ  凸部
【図１】
0003973923.tif 000002
【図２】
0003973923.tif 000003
【図３】
0003973923.tif 000004
【図４】
0003973923.tif 000005
【図５】
0003973923.tif 000006